(57)【要約】【課題】  低電力状態に移行した後、自動搬送される原稿を検知することに適応して、読取手段が低電力状態から復帰する前に、所定のジョブを受け付ける。【解決手段】    自動搬送される原稿または載置された原稿の画像を読み取る読取手段と、読み取られる原稿の画像を印刷する印刷手段と、前記読取手段の読取りと、前記印刷手段の印刷とを制御する制御手段と、前記印刷手段と、前記読取手段と、前記制御手段とに電力を供給する電源手段と、前記電源手段から前記印刷手段および前記読取手段に供給する電力を遮断して低電力状態に移行させる電力制御手段と、前記読取手段が低電力状態から復帰する前に、前記制御手段が前記読取手段に電力を供給し、前記自動搬送される原稿を検出する検出手段と、を備えることを特徴とする。【選択図】  図５
2017092624.tif 000002
【特許請求の範囲】
【請求項１】
自動搬送される原稿または載置された原稿の画像を読み取る読取手段と、
読み取られる原稿の画像を印刷する印刷手段と、
前記読取手段の読取りと、前記印刷手段の印刷とを制御する制御手段と、
前記印刷手段と、前記読取手段と、前記制御手段とに電力を供給する電源手段と、
前記電源手段から前記印刷手段および前記読取手段に供給する電力を遮断して低電力状態に移行させる電力制御手段と、
前記読取手段が低電力状態から復帰する前に、前記制御手段が前記読取手段に電力を供給し、前記自動搬送される原稿を検出する検出手段と、
を備えることを特徴とする画像形成装置。
【請求項２】
前記制御手段は、前記自動搬送される原稿を検出していると判断した場合、前記自動搬送される原稿に対する所定のジョブを受け付けるように操作部の表示状態を更新することを特徴とする請求項１に記載の画像形成装置。
【請求項３】
前記制御手段は、自動搬送させる原稿に対して受け付ける所定のジョブで、操作部で選択できない設定項目の表示状態を更新することを特徴とする請求項２に記載の画像形成装置。
【請求項４】
前記所定のジョブは、コピージョブであることを特徴とする請求項２または３に記載の画像形成装置。
【請求項５】
前記制御手段は、前記自動搬送される原稿を検出していないと判断し、かつ、前記載置される原稿を検出していると判断した場合、前記載置される原稿に対する所定のジョブを受け付けるように操作部の表示状態を更新することを特徴とする請求項１に記載の画像形成装置。
【請求項６】
前記読取手段は、原稿を自動搬送する原稿搬送手段を備えることを特徴とする請求項１に記載の画像形成装置。
【請求項７】
前記原稿搬送手段は、自動搬送すべき原稿があるかどうかを検出する検出手段を備えることを特徴とする請求項６に記載の画像形成装置。
【請求項８】
前記検出手段は、前記制御手段が供給する電力で応答することを特徴とする請求項７に記載の画像形成装置。
【請求項９】
自動搬送される原稿または載置された原稿の画像を読み取る読取手段と、読み取られる原稿の画像を印刷する印刷手段と、前記印刷手段と、前記読取手段と、前記読取手段の読取りと、前記印刷手段の印刷とを制御する制御手段と、前記制御手段とに電力を供給する電源手段と、を備える画像形成装置の制御方法であって、
前記電源手段から前記印刷手段および前記読取手段に供給する電力を遮断して低電力状態に移行させる電力制御工程と、
前記読取手段が低電力状態から復帰する前に、前記制御手段が電力を前記読取手段に電力を供給し、前記自動搬送される原稿を検出する検出工程と、
を備えることを特徴とする画像形成装置の制御方法。
【請求項１０】
自動搬送される原稿または載置された原稿の画像を読み取る読取手段と、読み取られる原稿の画像を印刷する印刷手段と、前記印刷手段と、前記読取手段と、前記読取手段の読取りと、前記印刷手段の印刷とを制御する制御手段と、前記制御手段とに電力を供給する電源手段と、を備える画像形成装置の制御方法であって、
前記電源手段から前記印刷手段および前記読取手段に供給する電力を遮断して低電力状態に移行させる電力制御工程と、
前記読取手段が低電力状態から復帰する前に、前記制御手段が電力を前記読取手段に電力を供給し、前記自動搬送される原稿を検出することに応じて、所定のジョブを受け付けるように操作部の表示状態を更新する更新工程と、
を備えることを特徴とする画像形成装置の制御方法。
【請求項１１】
請求項９または請求項１０に記載の画像形成装置の制御方法をコンピュータに実行させることを特徴とするプログラム。
【発明の詳細な説明】
【技術分野】
【０００１】
本発明は、画像形成装置、画像形成装置の制御方法、及びプログラムに関するものである。
【背景技術】
【０００２】
情報処理装置、例えば画像形成装置には、ユーザからの動作要求が一定時間以上ない場合、プリンタエンジン、リーダエンジン、操作部画面など、各ハードウェアの電力を切断してスリープモードに移行する省電力機能を備えている。
この種の画像形成装置は、スリープモード中でもスタンバイモードへの復帰要因として各種センサなどを通電させておき、そのいずれかの検知をすることによってスタンバイモードへ移行する。
ここで、スリープモード中の復帰要因としては、スリープ復帰ボタン以外に、手差し用紙検知、圧板開閉、自動原稿給紙ユニット（ＡｕｔｏＤｏｃｕｍｅｎｔＦｅｅｄｅｒ：以下ＡＤＦ）への原稿セット、ネットワークパケット受信、ドア開閉などがある。
特に、スリープモード中の各種センサの割り込み信号を主制御部のＣＰＵに入力することによってプリンタエンジン、リーダエンジン、操作部への通電が開始される。
一方、ユーザが画像形成装置を利用する場合に、スリープモードからスタンバイモードに移行し利用可能になるまでの時間（以降スリープ復帰時間）は短いほうが望ましい。スリープ復帰時間は、待ち時間でありユーザの使い勝手に直結するからである。
【０００３】
このような課題を解決するために、特許文献１には、リーダエンジンのスリープ復帰時のイニシャル処理を行わずに、操作部の利用を可能にすることでユーザの待ち時間を削減している。
しかし、この方法ではリーダエンジンのスリープ復帰を後回しにしているため、実際に原稿の読み取り動作を開始する時間が遅くなり、ジョブ完了までの時間は長くなってしまう。
また、近年の画像形成装置は、主制御部とリーダエンジンの並列スリープ復帰処理が可能であり、リーダエンジンのスリープ復帰処理中であっても操作部の操作が可能である。
【０００４】
従来、スリープモード時にコピージョブを利用する場合、主制御部とリーダエンジンがスタンバイモードに移行するのを待ってからジョブの投入を可能となるように制御している。
これは、リーダのスリープ復帰前は、各種ステータスの取得が出来ないためである。特に原稿の設置位置が重要である。原稿が圧板に設置されている場合とＡＤＦに設置されている場合で、デフォルトの動作モードや設定間の禁則処理が異なる。
例えばＡＤＦに原稿が設置されている場合は、複数枚原稿が存在する可能性が高いためシフトやソートや重送検知といった機能が自動的にオンになる。
【０００５】
逆に圧板特有の機能、例えば分割読み取りなどは、禁則処理によりＡＤＦに原稿が設置されている場合は、選択することが出来ない。
ここで、分割スキャンとは１枚の原稿に左右２つの画像が載っている場合、２回に分けて分割読み取りを行い、２枚に分割して印刷する機能である。
他にもＩＤカードコピーやポスター印刷や読み取りチェックプリントなども圧板特有の機能である。ＩＤカードコピーとは、ＩＤカードの表裏面を読み取り一枚にまとめて印刷する機能である。ポスター印刷とは、１枚の原稿を任意の枚数に分けて読み取り拡大してポスター状に印刷する機能である。読み取りチェックプリントとは、本などの不整形原稿を試し印刷する機能である。
【０００６】
もし、これらデフォルト動作モードや禁則処理を無視してジョブ投入を許可した場合、ジョブ投入後に不整合が発生し、ジョブを一時停止して、ユーザの再オペレーションが必要になり、利便性が低下してしまう。
【先行技術文献】
【特許文献】
【０００７】
【特許文献１】特開２００１−１０３１９２号公報
【発明の概要】
【発明が解決しようとする課題】
【０００８】
しかし、主制御部に比較してリーダエンジンのスリープ復帰時間が長いことが一般的である。これは、主制御部に対してリーダエンジンは従属関係にあり、主制御部のスリープ復帰後にリーダエンジンのスリープ復帰処理を開始するためである。
さらに、リーダエンジンはメカ的なイニシャル処理や各種画像補正処理を行わなければならないため、スリープ復帰時間が長くなる。このため、主制御部のスリープ復帰が十分に高速であっても、リーダエンジンのスリープ復帰を待ってしまうと、結果としてトータルのスリープ復帰時間が長くなってしまう。
【０００９】
本発明は、上記の課題を解決するためになされたものである。本発明の目的は、低電力状態に移行した後、自動搬送される原稿を検知することに適応して、読取手段が低電力状態から復帰する前に、所定のジョブを受け付けることができる仕組みを提供することである。
【課題を解決するための手段】
【００１０】
上記目的を達成する本発明の画像形成装置は以下に示す構成を備える。
自動搬送される原稿または載置された原稿の画像を読み取る読取手段と、読み取られる原稿の画像を印刷する印刷手段と、前記読取手段の読取りと、前記印刷手段の印刷とを制御する制御手段と、前記印刷手段と、前記読取手段と、前記制御手段とに電力を供給する電源手段と、前記電源手段から前記印刷手段および前記読取手段に供給する電力を遮断して低電力状態に移行させる電力制御手段と、前記読取手段が低電力状態から復帰する前に、前記制御手段が前記読取手段に電力を供給し、前記自動搬送される原稿を検出する検出手段と、を備えることを特徴とする。
【発明の効果】
【００１１】
本発明によれば、低電力状態に移行した後、自動搬送される原稿を検知することに適応して、読取手段が低電力状態から復帰する前に、所定のジョブを受け付けることができる。
【図面の簡単な説明】
【００１２】
【図１】画像形成装置の構成を説明するブロック図である。
【図２】画像形成装置のリーダ部及びプリンタ部の断面図である。
【図３】図１に示した操作部の構成を示す平面図である。
【図４】コピージョブ設定画面の説明図である。
【図５】画像形成装置の制御方法を説明するフローチャートである。
【図６】画像形成装置の制御方法を説明するフローチャートである。
【発明を実施するための形態】
【００１３】
次に本発明を実施するための最良の形態について図面を参照して説明する。
＜システム構成の説明＞
〔第１実施形態〕
図１は、本実施形態を示す画像形成装置の構成を説明するブロック図である。本例は、電子部品としてのコントローラ部１００が搭載された画像形成装置４００の一例である。画像形成装置４００は、イーサネット（登録商標）等のＬＡＮ（Ｌｏｃａｌ  Ａｒｅａ  Ｎｅｔｗｏｒｋ）にてホストコンピュータ６１０に接続される。
【００１４】
図１において、画像形成装置４００は、画像データの読取処理を行うリーダ装置（リーダ部）２００と、画像データの出力処理を行うプリンタ部（プリンタ部）３００を有している。
また、画像データの入出力操作を行うキーボード、及び画像データや各種機能の表示／設定などを行う液晶パネルを備えた操作部１５０を有している。さらに、リーダ装置２００を制御して読み込んだ画像データやＬＡＮを介してホストコンピュータ６１０より受信したコードデータから生成される画像データを格納／保存できるＨＤＤ１６０を有している。これら各構成要素を制御する、単一の電子部品からなる制御装置（コントローラ部）１００が接続され構成される。
【００１５】
リーダ部２００は、原稿用紙を搬送する原稿給紙ユニット２５０と、原稿画像を光学的に読み取って電気信号としての画像データに変換するスキャナユニット２１０を有している。なお、原稿給紙ユニット２５０には、自動搬送すべき原稿を検出する原稿センサ２０２を備える。原稿センサ２０２は、リーダ部２００がスリープ状態時であっても、コントローラ部１００が供給する電力でコントローラ部１００に原稿の有無を応答可能に構成されている。また、スキャナユニット２１０も圧板開閉センサ２０１を備え、原稿台ガラス上に載置される原稿を押圧する圧板の開閉状態を検出して、その状態をコントローラ部１００に通知するように構成されている。
プリンタ部３００は、印刷用紙を収容する給紙カセットや手差しトレイを備えた給紙ユニット３２０、画像データを印刷用紙に転写／定着するマーキングユニット３１０を有する。また、プリンタ部３００は、印字された記録用紙にソート処理やステイプル処理を施す排紙ユニット３３０を有している。
【００１６】
コントローラ部１００は、例えば、リーダ部２００を制御して原稿の画像データを読込み、プリンタ部３００を制御して、画像データを記録用紙に出力してコピー機能を提供する。
また、コントローラ部１００は、リーダ部２００から読み取った画像データをコードデータに変換し、ネットワークを介してホストコンピュータ６１０へ送信するスキャナ機能を提供する。ホストコンピュータ６１０からネットワーク６００を介して受信したコードデータを画像データに変換し、プリンタ部３００に出力するプリンタ機能を提供する。
さらに、コントローラ部１００は、リーダ部２００から読み取った画像データをＨＤＤ１６０に保存し、保存された画像データをプリンタ部３００に出力するボックス機能を提供する。リーダ部２００から読み取った画像データをコードデータに変換し、電話回線を介してＦＡＸ機器に送信し、電話回線を介して受信したコードデータを画像データに変換し、プリンタ部３００に出力するＦＡＸ機能を提供する。など、複数の機能ブロックを有している。
なお、リーダ部２００は原稿を原稿台の読取位置に自動搬送するモードと、原稿台ガラス上の所定位置に載置される原稿を読み取るモードとを備える。そして、リーダ部２００が後述するＡＤＦに搬送すべき原稿を検出した場合、原稿を載置して読み取るモードとの間で、不整合が発生する。そこで、本実施形態における画像形成装置では、後述する図５、図６に示す制御をコントローラ部１００が供給する電力でＡＤＦに設けられるセンサで原稿有無を検出する。そして、ＡＤＦで原稿を検出すると、低電力モード（スリープモード）を解除し、コントローラ部１００が操作部１５０でＡＤＦに対応したジョブの設定を受け付ける。
その際、上述したように、ＡＤＦで原稿を給紙するモードが選択された場合、不整合が起きる設定は、ユーザが選択できないようにグレーアウト表示するようにコントローラ部１００が選択項目の表示状態制御している。なお、スリープモード移行後は、電源装置１０がプリンタ部３００とリーダ部２００への電力供給を遮断する電力制御が実行される。
【００１７】
コントローラ部１００は、自装置内部に複数のジョブのデータを記憶可能なハードディスク１６０およびＣＰＵ１１１およびＲＡＭ（主記憶装置）１１２およびＲＯＭ１１３を具備する。ＣＰＵ１１１は、ＲＯＭ１１３やハードディスク１６０に格納されているプログラムを順次ＲＡＭ１１２に読出し、実行することで機能を実現する。また、画像データの読取処理を行うリーダ部２００や、画像データの出力処理を行うプリンタ部３００と接続し、一方ではＬＡＮや電話回線と接続することで、コードデータ、画像データ、デバイス情報などの入出力が行われる。
【００１８】
１１１はＣＰＵである。１１２はＲＡＭで、ＣＰＵ１１１が動作するためのシステムワークメモリであり、画像データを一時記憶するための画像メモリでもある。１１３はＲＯＭで、ブートＲＯＭとして機能し、システムのブートプログラムが格納されている。１６０はハードディスクドライブ（ＨＤＤ）で、システムソフトウェアや画像データなどを格納することができる。３５は汎用画像処理部で、ＲＡＭ１１２に格納した画像データを、例えば、縮小等の処理を行い、再度ＲＡＭ１１２に格納することが可能な画像処理ブロックを有する。
【００１９】
これらのデバイスはシステムバス１１７上に配置される。１１４はＲｅａｄｅｒＩ／Ｆで、画像入力装置であるリーダ部２００と接続される。１１５はＰｒｉｎｔｅｒＩ／Ｆで、画像出力装置であるプリンタ部３００と接続される。コントローラ部１００は、これらのＩ／Ｆを通じて画像データの同期系／非同期系の変換や制御を行う。１２０はＮＩＣ（Ｎｅｔｗｏｒｋ  Ｉｎｔｅｒｆａｃｅ  Ｃａｒｄ）で、ＬＡＮに接続し、画像データや装置情報の入出力が行われる。１２１はモデム（Ｍｏｄｅｍ）で、電話回線に接続し、画像データや装置情報の入出力が行われる。
電源装置１０は、画像形成装置４００における電源を供給する装置である。
装置ＯＦＦ時、ＡＣ電源１１はスイッチ１２により絶縁されている。スイッチ１２をＯＮにすることでＡＣ−ＤＣコンバータ１３にＡＣ電源が供給されＤＣ電源が作られる。
【００２０】
電源装置１０はＣＰＵ１１１の指示により装置全体を４つの独立した電源制御が可能である。すなわち、ＣＰＵ１１１からのスイッチ手段１４により、コントローラ部電力１８の電源のＯＦＦ／ＯＮ制御が可能である。同様に、スイッチ手段１５はプリンタ部電力１９、スイッチ手段１６はリーダ部電力２０、スイッチ手段１７は汎用画像処理部電力２１の電源のＯＦＦ／ＯＮ制御が可能である。ＣＰＵ１１１はこれらのスイッチ手段を用いることで、適切に画像形成装置４００の必要な箇所に電力を入れることで、スリープ状態、スタンバイ状態の電力制御を行う。
【００２１】
スリープ状態は、画像形成装置４００の電力を可能な限り落とすモードである。ＣＰＵ１１１周辺デバイスは一般的なサスペンド状態（ＡＣＰＩ−Ｓ３等）という状態とし、ジョブやユーザ操作の検出可能な部分（スリープ時電力部２２）のみ通電を行う。これにより、装置全体の電力を非常に少ない電力状態にすることができる。
具体的には、ＣＰＵ１１１は画像形成装置４００の状態を不揮発性の記憶領域（例えば、ＲＡＭ１１２やＨＤＤ１６０）に格納し、スイッチ手段１４によりコントローラ部電力１８の電源を落とす。この時、ＣＰＵ１１１は動作しなくなるが、スリープ時電力部２２がハード的にＯＮされ、ジョブの投入やユーザの操作が検出できる状態となる。
例えば、ＮＩＣ１２０からの受信、Ｍｏｄｅｍ１２１からのＦＡＸコール、操作部１５０の操作、リーダ部２００からの信号の検出、でコントローラ部電力１８がハード的にＯＮ（スタンバイ状態）となる。ここで、スタンバイ状態とは、コントローラ部電力１８が通電されているモードである。スタンバイ状態では、操作部１５０からのオペレータによる操作、ＮＩＣ１２０からのネットワーク経由のジョブ等を受け付ける。
【００２２】
ＣＰＵ１１１からのスイッチ手段１４により、コントローラ部電力１８の電源を通電させる。ＣＰＵ１１１は不揮発性の記憶領域に格納された装置の状態を読み出した後、読み出した状態の再設定を行うことでコントローラ部電力１８の電源がＯＦＦされる直前の状態に復元される。
これによりスタンバイ状態へと移行する。その後、ＣＰＵ１１１は、例えば、操作部１５０に表示された画面、受付けたジョブからスイッチ手段１５〜１７の使用することが予測されるデバイスの電源を通電させた後に、所定のジョブを実行するよう制御される。
【００２３】
図２は、図１に示した画像形成装置４００のリーダ部２００及びプリンタ部３００の断面図である。
まず、リーダ部２００について説明する。
リーダ部２００において、原稿搬送を行う原稿給紙ユニット（ＡＤＦユニット）２５０は、原稿を先頭順に１枚ずつプラテンガラス２１１上へ給送し、原稿の読み取り動作終了後、プラテンガラス２１１上の原稿を排出トレイ２１９に排出するものである。
【００２４】
原稿がプラテンガラス２１１上に搬送されると、ランプ２１２を点灯し、そして光学ユニット２１３の移動を開始させて、原稿を露光走査する。この時の原稿からの反射光は、ミラー２１４，２１５，２１６及びレンズ２１７によってＣＣＤイメージセンサ（以下ＣＣＤという）２１８へ導かれる。このように、走査された原稿の画像はＣＣＤ２１８によって読み取られる。ＣＣＤ２１８から出力される画像データは、所定の処理が施された後、コントローラ部１００へ転送される。
【００２５】
次にプリンタ部３００について説明する。
プリンタ部３００において、３２１はレーザドライバで、レーザ発光部３２２を駆動するものであり、コントローラ部１００から出力された画像データに応じたレーザ光をレーザ発光部３２２に発光させる。このレーザ光は感光ドラム３２３に照射され、感光ドラム３２３にはレーザ光に応じた潜像が形成される。この感光ドラム３２３の潜像の部分には現像器３２４によって現像剤が付着される。
【００２６】
プリンタ部３００は、給紙ユニット３２０としてそれぞれ引き出し状の形状をしたカセット３１１、カセット３１２、カセット３１３、カセット３１４を有している。それぞれの給紙カセットを引き出し、引き出したカセットに用紙を補給し、カセットを閉めることによって、用紙補給を行う。
【００２７】
プリンタ部３００は、カセット３１１、３１２、３１３、３１４のいずれかから記録紙を給紙し、転写部３２５へ搬送路３３１によって搬送する。転写部３２５では感光ドラム３２３に付着された現像剤を記録紙に転写する。現像剤の乗った記録紙は搬送ベルト３２６によって、定着部３２７に搬送され、定着部３２７の熱と圧力により現像剤は記録紙に定着される。その後、定着部３２７を通過した記録紙は搬送路３３５、搬送路３３４を通り、排出される。印字面を反転して排出する場合には、搬送路３３６、搬送路３３８まで導かれ、そこから記録紙を逆方向に搬送し、搬送路３３７、搬送路３３４を通る。
また、両面記録が設定されている場合は、定着部３２７を通過したあと、搬送路３３６からフラッパ３２９によって、搬送路３３３に記録紙は導かれ、その後記録紙を逆方向に搬送し、フラッパ３２９によって、搬送路３３８、再給紙搬送路３３２へ導かれる。再給紙搬送路３３２へ導かれた記録紙は上述したタイミングで搬送路３３１を通り、転写部３２５へ給紙される。片面、両面記録にかかわらず、搬送路３３４より排出された記録紙は排紙ユニット３３０へ搬送される。
【００２８】
排紙ユニット３３０へ搬送された記録紙は、まずバッファユニット５０１へ送られる。ここでは、場合に応じて搬送されてきた記録紙をバッファローラに巻きつけてバッファリングする。例えば、この下流で行われるステイプル等処理に時間がかかる場合は、このバッファユニット５０１を利用することによって本体から搬送されてくる記録紙の搬送速度を一定に保つことができ、スループットの向上に役立たせることが可能である。
そして、記録紙は、この後、上流排出ローラ対５０２、下流排出ローラ対５０３で搬送路５１０を経由し排出トレイ５０７に排出される。
【００２９】
また、ステイプルモードの場合は、上流排出ローラ対５０２で搬送され記録紙後端がこれを抜けた直後、ローレットベルト５０４によって引き戻され、スタックトレイ５０５に排出される。そして、所定の枚数分記録紙が積載されたあと、ステイプルユニット５０６によってステイプル処理が行われた後に、下流排出ローラ対５０３により排出トレイ５０７に排出される。また、シフトソート時にはスタックトレイ５０５に積まれた用紙を左右にずらし、排出トレイ５０７に排出することによって、部の切れ目を表現する。
【００３０】
通常のステイプルは搬送路３３４より排出された記録紙をスタックトレイ５０５に積載した後ステイプルする。それとは別にユーザが紙束をスタックトレイ５０５に挿入し、紙束検知センサ５２６が紙束を検知すると、スタックトレイ５０５の紙束に対してステイプルユニット５０６でステイプルするマニュアルステイプルモードがある。このマニュアルステイプルモードはマニュアルステイプルモードボタン５２０、または、コントローラ部１００からの指示によって移行する。
【００３１】
図３は、図１に示した操作部１５０の構成を示す平面図である。
図３において、７００はＬＣＤタッチパネルで、主なモード設定、状況表示はここで行われる。７０１は０〜９までの数値を入力するためのテンキーである。７０２はＩＤキーで、装置が部門管理されている場合に部門番号と暗証モードを入力する際に使用されるものである。
【００３２】
７０３は設定されたモードをリセットするためのリセットキー、７０４は各モードについての説明画面を表示するためのガイドキー、７０５はユーザモード画面に入るためのユーザモードキー、７０６は割り込みコピーを行うための割り込みキーになっている。
７０７はコピー動作などの、画像形成装置４００が提供する機能をスタートさせるためのスタートキー、７０８は実行中のジョブを中止させるためのストップキーである。
【００３３】
７０９はソフト電源ＳＷで、押下することによりＬＣＤ７００のバックライトが消え装置は低電力状態に移行する。７１０は節電キーで、これを押下することで節電状態に入り、再度押下することで節電状態から復帰する。
【００３４】
７１４はＬＣＤタッチパネルのコントラストを調整するための調整キーである。７１５はカウンタ確認キーで、このキーを押下することでそれまでに使用したコピー枚数の集計を表示するカウント画面がＬＣＤ上に表示される。
【００３５】
７１６はジョブの実行中、画像メモリへの画像蓄積中を示すＬＥＤ、７１７がジャム、ドアオープン等装置がエラー状態にあることを示すエラーＬＥＤ、７１８は装置のメインスイッチがＯＮになっていることを示す電源ＬＥＤになっている。
【００３６】
図４は、図１に示した操作部１５０に表示されるコピージョブ設定画面の説明図である。
図４において、コピー時部実行画面の応用モードボタン７３０を押下すると詳細機能選択用ポップアップ画面が開く。各モードについては不整合チェックが行われており、図４の例ではＡＤＦ２５０に原稿が設置されているため、圧板専用の機能である分割読み取り機能７４０がグレーアウトして選択不能になっている。
【００３７】
図５は、本実施形態を示す画像形成装置の制御方法を説明するフローチャートである。本例は、スリープ復帰指示によりコントローラ部１００がスリープ状態からスタンバイ状態に遷移する処理例である。なお、各ステップは、ＣＰＵ１１１が記憶された制御プログラムを実行することで実現される。本制御プログラムはコントローラ部１００のＣＰＵ１１１が、ＲＯＭ１１３やハードディスク１６０に格納されているプログラムを順次ＲＡＭ１１２に読出し、実行することで制御される。
【００３８】
Ｓ８０１では、コントローラ部１００はスリープ状態になっている。ＣＰＵ１１１や周辺デバイスは一般的なサスペンド状態（ＡＣＰＩ−Ｓ３等）という状態とし、ジョブやユーザ操作の検出可能な部分（スリープ時電力部２２）のみ通電が行われている。
【００３９】
Ｓ８０２では、スリープ時電力部２２がハード的にＯＮされ、例えば、ＮＩＣ１２０からのジョブの受信、Ｍｏｄｅｍ１２１からのＦＡＸコール、操作部１５０の操作、リーダ部２００からの信号の検知を行う。Ｓ８０２でこれらを検出すると、スリープ時電力部２２でどの要因の信号を検出したかを記憶しＳ８０３へ進む。一方、Ｓ８０２で信号が検出されないと判断した場合はＳ８０１へ戻りスリープ状態が継続する。
【００４０】
Ｓ８０３では、スリープ復帰動作を行う。具体的には、ＣＰＵ１１１からの指示でスイッチ手段１４がＯＮ状態に移行し、コントローラ部電力１８がハード的にＯＮ（通電された状態）となる。その後、ＣＰＵ１１１は不揮発性の記憶領域（ＥＥＰＲＯＭ、ＮＶＲＡＭ）に格納された装置の状態を読み出す。ＣＰＵ１１１は、読み出した状態の再設定を行うことでコントローラ部電力１８の電源がＯＦＦになる直前の状態に復元する。
【００４１】
Ｓ８０４では、ＣＰＵ１１１がＡＤＦ２５０上に原稿が存在するか否かの判定を行う。原稿の存在はリーダ装置２００からの信号線２０２０の状態を読み取ることで行う。信号線２０２０は、コントローラ部１００から供給される信号のループバック回路になっており、リーダ装置２００のスリープ状態にかかわらず、コントローラ部１００がスリープから復帰していれば、ＣＰＵ１１１が原稿の有無を検知することが可能である。Ｓ８０４の判定の結果、ＡＤＦ２５０上に原稿が存在するとＣＰＵ１１１が判断した場合はＳ８０５に進む。
Ｓ８０５では、ＣＰＵ１１１がリーダ装置２００のスリープ復帰状態にかかわらず、操作部１５０にＡＤＦ原稿検知を通知する。ＣＰＵ１１１は、自らリーダ装置２００に供給する電力で、リーダ装置２００から通知される原稿状態を示す情報により選択可能な設定項目に対する不整合チェックを行い、操作部１５０に対して表示すべき表示情報の更新を行う。
例えば図４に示すようなグレーアウト処理を行い、機能排他状態を作り出すように表示制御を実行する。これにより、リーダ装置２００のスリープ復帰前にコピージョブが投入された場合であっても、設定項目に不整合が発生することが無くなる。
Ｓ８０６ではコピージョブ投入を可能状態にし、スタートキー７０７を点灯することでコピージョブの投入が可能であることをユーザに通知する。
【００４２】
続いて、Ｓ８０４の判定の結果、ＡＤＦ２５０に原稿が存在しないとＣＰＵ１１１が判定された場合の処理について説明する。
ＡＤＦ２５０に原稿が存在しないとＣＰＵ１１１が判断した場合はＳ８０７に進む。Ｓ８０７では、ＣＰＵ１１１は、リーダ装置２００がスリープ復帰しているか否かの判定を行う。ここで、スリープ復帰しているとＣＰＵ１１１が判断した場合はＳ８０９に進み、リーダ装置２００から原稿検知情報を取得する。取得した情報は操作部１５０に通知し不整合チェックを行う。
不整合チェック後Ｓ８０６に進みコピージョブの投入を可能にする。Ｓ８０７の判定の結果、リーダ装置２００のスリープ復帰前の場合はＳ８０８に進みリーダのスリープ復帰を待つ。
【００４３】
図６は、本実施形態を示す画像形成装置の制御方法を説明するフローチャートである。本例は、スリープ復帰後にリーダ制御情報をリーダ部２００に通知し、原稿読み取り処理が開始する処理例である。なお、各ステップは、ＣＰＵ１１１が記憶された制御プログラムを実行することで実現される。具体的には、コントローラ部１００のＣＰＵ１１１が、ＲＯＭ１１３やハードディスク１６０に格納されている制御プログラムを順次ＲＡＭ１１２に読出し、実行することで本処理が制御される。
【００４４】
Ｓ９０１で、ＣＰＵ１１１は、操作部１５０を操作してユーザからコピージョブが投入されたことを検知する。Ｓ９０２では、ＣＰＵ１１１は、リーダ装置２００がスリープ復帰しているか否かを判定する。スリープ復帰しているとＣＰＵ１１１が判断した場合はＳ９０３に進み、ユーザのコピージョブ設定内容に応じたリーダ動作モードをリーダ装置２００に通知し、読み取り処理を開始する。
Ｓ９０２の判定の結果、リーダ装置２００がスリープ復帰していないとＣＰＵ１１１が判定した場合は、ＣＰＵ１１１は、リーダ動作モードをＲＡＭ１１２に保持する。そして、Ｓ９０５で、リーダ部２００がスリープ復帰するまで待つ。スリープ復帰後Ｓ９０３に進み、リーダ部２００は、読み取り処理を開始する。
【００４５】
上述の制御を行うことで、スリープ復帰時に、スリープ復帰トリガーの一つである、ＡＤＦ原稿検知センサによりＡＤＦ２５０に原稿が存在することを検知できる。そして、当該ＡＤＦ原稿検知センサによりＡＤＦ２５０に原稿が存在することを検知できた場合は、リーダ装置２００のスリープ復帰前であっても、操作部からの操作指示をユーザから受け付けてコピージョブの投入を可能にする。
これにより、ユーザにスリープ復帰するまで、所定のコピージョブの設定操作を待機させることなく、復帰後に設定に対して不整合を発生させることなく、利便性に富んだ画像形成装置を提供する。
【００４６】
本発明は、上述の実施形態の１以上の機能を実現するプログラムを、ネットワーク又は記憶媒体を介してシステムまたは装置に供給する。そして、そのシステム又は装置のコンピュータにおける１つ以上のプロセッサがプログラムを読み出し実行する処理でも実現可能である。また、１以上の機能を実現する回路（例えばＡＳＩＣ）によっても実現可能である。
【符号の説明】
【００４７】
４００  画像形成装置
２００  リーダ装置
３００  プリンタ部
【図１】
2017092624.tif 000003
【図２】
2017092624.tif 000004
【図３】
2017092624.tif 000005
【図４】
2017092624.tif 000006
【図５】
2017092624.tif 000007
【図６】
2017092624.tif 000008